(57)【要約】      （修正有）【課題】電車や地下鉄の車両内、店頭、街頭等において、商品の実物やサンプル、模型等の物品を掲示する物品露出系広告媒体として、良く目立ちかつ物品の盗難や破損や汚損あるいは脱落を防止し得るような物品露出系広告媒体を考案する。【解決手段】電車や地下鉄の車両Ｔ内の天井ｃと側壁ｈが接続される湾曲部分ｗの掲示領域Ｋに掲示するための、絵柄や文字が印刷された本体に商品の実物やサンプル、模型等の物品Ｓ１を係着することのできる物品露出系広告媒体１を提供する。【選択図】図１
0003103738.tif 000002
【実用新案登録請求の範囲】
【請求項１】
基板に絵柄や文字を印刷した薄膜を接着して本体となし、該本体に本体側の係着体を接着し、商品あるいは商品サンプルあるいは商品模型等の物品に物品側の係着体を接着し、本体側の係着体と物品側の係着体を係着させることにより商品あるいは商品サンプルあるいは商品模型等の物品を露出した状態にて上記本体に係着して、広告媒体として構成したことを特徴とする物品露出系広告媒体。
【請求項２】
上記本体側の係着体が、上記本体に接着される後板と該後板に夫々直角に突設された左側板及び右側板から構成され、該左側板及び右側板のそれぞれの外側面に長手方向に延伸された凹部を有しており、
上記本体側の係着体の下端に、下記物品側の係着体の一部を水平に切断した形状の留具が、該留具の左側板及び右側板のそれぞれの内側面の凸部が上記本体側の係着体の左側板及び右側板のそれぞれの外側面の凹部に嵌合する状態で接着されており、
上記物品側の係着体が商品あるいは商品サンプルあるいは商品模型等の物品に接着される前板と該前板に夫々直角に突設された左側板及び右側板から構成され、該左側板及び右側板のそれぞれの内側面に上記本体側の係着体の上記凹部に嵌合する長手方向に延伸された凸部を有していることを特徴とする請求項１に記載の物品露出系広告媒体。
【請求項３】
上記本体側の係着体と上記物品側の係着体が係着された状態で上記本体側の係着体と上記物品側の係着体の全体の右側面と上面と下面を掩覆しかつ上記本体側の係着体と上記物品側の係着体の全体を上下方向から挟着して上記本体側の係着体と上記物品側の係着体の係着状態を保持するように構成される挾着体で、かつ上記本体側の係着体と上記物品側の係着体の全体の左側面の上端と下端に当接する爪部により該挾着体自体の脱落が防止されるように構成されている挾着体を有することを特徴とする請求項２に記載の物品露出系広告媒体。
【請求項４】
上記本体側の係着体と上記物品側の係着体が係着された状態で上記本体側の係着体と上記物品側の係着体の全体の左側面と上面と下面を掩覆しかつ上記本体側の係着体と上記物品側の係着体の全体を上下方向から挟着して上記本体側の係着体と上記物品側の係着体の係着状態を保持するように構成される挾着体で、かつ上記本体側の係着体と上記物品側の係着体の全体の右側面の上端と下端に当接する爪部により該挾着体自体の脱落が防止されるように構成されている挾着体を有することを特徴とする請求項２に記載の物品露出系広告媒体。
【請求項５】
上記本体の薄膜に、上記本体側の係着体を接着させる際の接着領域の位置を表示するための、トンボとも称されるレジスターマークが予め印刷されていることを特徴とする請求項１あるいは請求項２あるいは請求項３あるいは請求項４に記載の物品露出系広告媒体。
【請求項６】
電車や地下鉄の車両内において、該車両の側壁部分と天井部分の接続部分の湾曲部分に掲示される広告媒体として用いることを特徴とする請求項１あるいは請求項２あるいは請求項３あるいは請求項４あるいは請求項５に記載の物品露出系広告媒体。
【考案の詳細な説明】
【技術分野】
【０００１】
本考案は、電車や地下鉄の車両内、あるいは店頭、街頭等において、通常の平面的な広告媒体に商品あるいは商品サンプルあるいは商品模型等の物品を係着して、通常の平面的な広告媒体にては得られない迫力ある広告媒体として構成することを目的とする物品露出系広告媒体に関するものである。
【背景技術】
【０００２】
従来の電車や地下鉄の車両内、あるいは店頭、街頭等における広告媒体は平面的なものが多かった。店頭、街頭においては、商品の実物やサンプルや模型等を用いた広告も良く見かけるが、電車や地下鉄の車両内においては、略全ての広告媒体が平面的な広告媒体で、商品の実物やサンプルや模型等を用いた広告は殆ど見受けられない。その理由としては、店頭や街頭においては、商店主の目が行き届いているので、商品の実物やサンプルを広告媒体として用いても盗難に会うケースが比較的少ない点、あるいは店頭や街頭においては、空間的余裕があるので商品の実物やサンプルや模型等が設置しやすいという点があげられる。しかし、電車や地下鉄の車両内に商品の実物やサンプルや模型等を設置した場合、特に混雑時には盗難に会う可能性が高く、また電車や地下鉄の車両内は空間的余裕が少ないところから、これまで略平面的な広告媒体にて占められていたものと考えられる。
【０００３】
電車や地下鉄の車両内に商品の実物やサンプルを広告媒体として用いた僅かな例としては、例えば、下記特許文献１に記載の「公共交通機関の車内の広告物」が挙げられる。特許文献１に記載の「公共交通機関の車内の広告物」は、電車や地下鉄の車両内の吊革取付パイプや網棚（荷棚）を構成するパイプに広告媒体を吊設するという考案で、吊設される広告媒体として平面状の印刷物や商品模型、そして商品の実物が挙げられている。しかしながら、特許文献１のように吊革取付パイプや網棚（荷棚）を構成するパイプに広告媒体を吊設した場合、広告媒体は乗客の手の届く範囲に存在することになるので、極めて盗難に会いやすい。また、悪意の盗難ではなくとも、混雑時には吊革を把持せんとする乗客の手に誤って把持される可能性も充分にあり、破損や汚損や脱落の危険性が極めて高い。また、車両内に立っている乗客にとっては目の前に広告媒体が吊設されていることになるので、一見広告効果は高いように思われるが、非常にうっとおしく、場合によっては邪魔に感じて逆効果を生む結果ともなりかねない。さらに、車両の振動等で広告媒体が揺れた場合には立っている乗客の手や頭部に衝突する可能性もある。また、上記の点から、広告媒体のサイズはあまり大きなものは無理で、自ずから限界が生じることとなる。
【特許文献１】実用新案登録第３０６６２９３号
【考案の開示】
【考案が解決しようとする課題】
【０００４】
本考案は、叙上のような次第から、下記の課題を解決することを目的としてなされたものである。
＜課題１＞
電車や地下鉄の車両内、あるいは店頭、街頭等において、特に電車や地下鉄の車両内における商品の実物やサンプル、模型等の物品を広告媒体として用いた物品露出系広告媒体において、商品の実物やサンプル、模型等の物品の盗難や破損や汚損あるいは脱落を防止し得るような物品露出系広告媒体を考案する。
＜課題２＞
特に電車や地下鉄の車両内において、課題１の条件を充足しかつ乗客の視線に対して十分に目立つ物品露出系広告媒体を考案する。
＜課題３＞
特に電車や地下鉄の車両内において、課題１と課題２の条件を充足しかつ混雑時にても乗客の挙動にとって邪魔にならないような物品露出系広告媒体を考案する。
＜課題４＞
特に電車や地下鉄の車両内において、課題１〜３の条件を充足しかつ広告媒体の交換が極めて容易な物品露出系広告媒体を考案する。
【課題を解決するための手段】
【０００５】
本考案は、上記課題を解決するためになされたものであって、下記の解決手段を提供するものである。
＜解決手段１＞
基板に絵柄や文字を印刷した薄膜を接着して本体となし、該本体に本体側の係着体を接着し、商品あるいは商品サンプルあるいは商品模型等の物品に物品側の係着体を接着し、本体側の係着体と物品側の係着体を係着させることにより商品あるいは商品サンプルあるいは商品模型等の物品を露出した状態にて上記本体に係着して、広告媒体として構成したことを特徴とする物品露出系広告媒体。
＜解決手段２＞
上記本体側の係着体が、上記本体に接着される後板と該後板に夫々直角に突設された左側板及び右側板から構成され、該左側板及び右側板のそれぞれの外側面に長手方向に延伸された凹部を有しており、
上記本体側の係着体の下端に、下記物品側の係着体の一部を水平に切断した形状の留具が、該留具の左側板及び右側板のそれぞれの内側面の凸部が上記本体側の係着体の左側板及び右側板のそれぞれの外側面の凹部に嵌合する状態で接着されており、
上記物品側の係着体が商品あるいは商品サンプルあるいは商品模型等の物品に接着される前板と該前板に夫々直角に突設された左側板及び右側板から構成され、該左側板及び右側板のそれぞれの内側面に上記本体側の係着体の上記凹部に嵌合する長手方向に延伸された凸部を有していることを特徴とする解決手段１に記載の物品露出系広告媒体。
＜解決手段３＞
上記本体側の係着体と上記物品側の係着体が係着された状態で上記本体側の係着体と上記物品側の係着体の全体の右側面と上面と下面を掩覆しかつ上記本体側の係着体と上記物品側の係着体の全体を上下方向から挟着して上記本体側の係着体と上記物品側の係着体の係着状態を保持するように構成される挾着体で、かつ上記本体側の係着体と上記物品側の係着体の全体の左側面の上端と下端に当接する爪部により該挾着体自体の脱落が防止されるように構成されている挾着体を有することを特徴とする解決手段２に記載の物品露出系広告媒体。
＜解決手段４＞
上記本体側の係着体と上記物品側の係着体が係着された状態で上記本体側の係着体と上記物品側の係着体の全体の右側面と上面と下面を掩覆しかつ上記本体側の係着体と上記物品側の係着体の全体を上下方向から挟着して上記本体側の係着体と上記物品側の係着体の係着状態を保持するように構成される挾着体で、かつ上記本体側の係着体と上記物品側の係着体の全体の左側面の上端と下端に当接する爪部により該挾着体自体の脱落が防止されるように構成されている挾着体を有することを特徴とする解決手段２に記載の物品露出系広告媒体。
＜解決手段５＞
上記本体の薄膜に、上記本体側の係着体を接着させる際の接着領域の位置を表示するための、トンボとも称されるレジスターマークが予め印刷されていることを特徴とする解決手段１あるいは解決手段２あるいは解決手段３あるいは解決手段４に記載の物品露出系広告媒体。
＜解決手段６＞
電車や地下鉄の車両内において、該車両の側壁部分と天井部分の接続部分の湾曲部分に掲示される広告媒体として用いることを特徴とする解決手段１あるいは解決手段２あるいは解決手段３あるいは解決手段４あるいは解決手段５に記載の物品露出系広告媒体。
【考案の効果】
【０００６】
本考案の解決手段１〜６に記載の物品露出系広告媒体は、基板に絵柄や文字を印刷した薄膜を接着して本体となし、該本体に本体側の係着体を接着し、商品あるいは商品サンプルあるいは商品模型等の物品等の物品に物品側の係着体を接着し、本体側の係着体と物品側の係着体を係着させることにより商品あるいは商品サンプルあるいは商品模型等の物品を露出した状態にて上記本体に係着して、広告媒体として構成しているので、見る人に商品あるいは商品サンプルあるいは商品模型等の物品の立体的な印象を強く与えることができ、しかも、絵柄や文字を印刷した薄膜と商品あるいは商品サンプルあるいは商品模型等の物品の相乗効果で広告宣伝効果が平面的な広告媒体に比較してはるかに強められる。
【０００７】
本考案の解決手段２に記載の物品露出系広告媒体は、上記本体側の係着体が、上記本体に接着される後板と該後板に夫々直角に突設された左側板及び右側板から構成され、該左側板及び右側板のそれぞれの外側面に長手方向に延伸された凹部を有しており、上記本体側の係着体の下端に、下記物品側の係着体の一部を水平に切断した形状の留具が、該留具の左側板及び右側板のそれぞれの内側面の凸部が上記本体側の係着体の左側板及び右側板のそれぞれの外側面の凹部に嵌合する状態で接着されており、上記物品側の係着体が商品あるいは商品サンプルあるいは商品模型等の物品に接着される前板と該前板に夫々直角に突設された左側板及び右側板から構成され、該左側板及び右側板のそれぞれの内側面に上記本体側の係着体の上記凹部に嵌合する長手方向に延伸された凸部を有しているので、商品あるいは商品サンプルあるいは商品模型等の物品を上記本体に係着するためには上記物品側の係着体を上記本体側の係着体に係着させるのみで良く、極めて容易で１動作で行うことができる。また、上記本体から商品あるいは商品サンプルあるいは商品模型等の物品を脱離させるのも極めて容易で１動作で行える。しかも上記留具の作用により上記本体から商品あるいは商品サンプルあるいは商品模型等の物品が脱落する心配がない。
【０００８】
本考案の解決手段３あるいは解決手段４に記載の物品露出系広告媒体は、上記本体側の係着体と上記物品側の係着体が係着された状態で上記本体側の係着体と上記物品側の係着体の全体の右側面と上面と下面を掩覆しあるいは左側面と上面と下面を掩覆しかつ上記本体側の係着体と上記物品側の係着体の全体を上下方向から挟着して上記本体側の係着体と上記物品側の係着体の係着状態を保持するように構成された挾着体で、かつ上記本体側の係着体と上記物品側の係着体の全体の左側面の上端と下端あるいは右側面の上端と下端に当接する爪部により該挾着体自体の脱落が防止されるように構成された挾着体を有しているので、上記本体から商品あるいは商品サンプルあるいは商品模型等の物品が自然脱落する可能性が略ゼロとなり、かつ上記本体から商品あるいは商品サンプルあるいは商品模型等の物品を故意に脱離させようとする行為も防止することができる。また、該挾着体の奥行きは上記本体の表面と上記物品の表面との間隔と同一であるので、該挾着体の背面は上記本体の表面に当接押圧され、該挾着体の正面は上記物品の表面に当接押圧されて、該挾着体自体が上記本体と上記物品の間に挟着される状態となり、該挾着体の挾着固定作用はさらに確実なものとなる。またこれにより、上記物品は全く間隙を生ずることなく上記本体に係着固定されることになるので、車両が揺れても上記物品は上記本体に関して微動だにせず、上記物品の振動等による雑音も全く発生しない。
【０００９】
本考案の解決手段５に記載の物品露出系広告媒体は、上記本体の上記薄膜に、上記本体側の係着体を接着させる際の接着領域の位置を表示するための、トンボとも称されるレジスターマークが予め印刷されているので、上記本体に上記本体側の係着体を接着させるのが極めて容易で、しかも接着された上記本体側の係着体は位置が正確に接着される結果、該本体側の係着体に係着される上記物品側の係着体の位置も正確に決まり、結果として商品あるいは商品サンプルあるいは商品模型等の物品の位置も正確に定めることができる。しかも、上記レジスターマークは上記薄膜に絵柄や文字を印刷する際に、上記絵柄や文字の版下に入れておくことにより特別な手間もかけずに印刷することが可能である。
【００１０】
本考案の解決手段６に記載の物品露出系広告媒体は、本考案の解決手段１〜５に記載の物品露出系広告媒体を電車や地下鉄の車両内において、該車両の側壁と天井の接続部分の湾曲部分に掲示される広告媒体として用いているので、商品の実物やサンプル、模型等の物品が通常では乗客の手の届かない位置にあり、上記商品の実物やサンプル、模型等の物品の盗難や破損や汚損あるいは脱落を防止し得るものである。
しかも、上記湾曲部分は、網棚（荷棚）のやや上方に位置するので、通常網棚に通勤用の鞄を載置したぐらいでは乗客の視線から隠されることがなく、よく目立つ位置にあるので、該壁面に掲示される本考案の物品露出系広告媒体が有する乗客に対する広告宣伝効果は非常に高いものである。実際上は、最近では都市あるいは都市近郊の電車や地下鉄の車両内にては、網棚を利用する乗客は殆どいないので、網棚に置かれた荷によって本考案の物品露出系広告媒体がかなりの延長にわたって隠蔽される状態はまず生じないといい得るものである。
また、上記湾曲部分は、乗客の身長よりはるかに高い位置にあるので、混雑時にても該壁面に掲示される本考案の物品露出系広告媒体が乗客の挙動にとって邪魔になったり、乗客に衝突するということは皆無である。
さらに、電車や地下鉄の車両内においては、広告掲示期限の切換時期における広告媒体の交換を極めて短時間に済ませねばならないが、本考案の物品露出系広告媒体は、解決手段２の作用により、商品あるいは商品サンプルあるいは商品模型等の着脱が極めて容易で、係着も脱離も夫々１動作で行うことができるので、広告掲示期限の切換時期における広告媒体の交換を極めて短時間に、しかも容易に済ませることができる。
【考案を実施するための最良の形態】
【００１１】
以下に、本考案を実施するための最良の形態を、図面を参照しながら詳細に説明する。
【実施例１】
【００１２】
＜実施例１の構成＞
実施例１の構成を、以下に図面を参照しながら詳細に説明する。本考案の実施例１は、本考案の解決手段６に記載の物品露出系広告媒体の１実施例であり、本考案の解決手段１〜５に記載の物品露出系広告媒体を電車や地下鉄の車両内において、該車両の側壁部分と天井部分の接続部分の湾曲部分に掲示される広告媒体として用いたものである。
【００１３】
図１ｂに示すように、電車や地下鉄の車両Ｔの側壁ｈと天井ｃの接続部分の湾曲部分ｗには、多くの場合、湾曲部分ｗの曲率に沿った曲率を有する広告用の掲示領域Ｋが設けられ、掲示領域Ｋには通常平面状の印刷広告媒体（図示せず）が掲示されているが、本考案の実施例１の物品露出系広告媒体１は、この掲示領域Ｋを利用して掲示されるものである。なお、図１ｂにおいて、ａは網棚であり、Ｓ１は物品露出系広告媒体１に係着される商品あるいは商品サンプルあるいは商品模型等の物品である。
【００１４】
図１ａにおいて、掲示領域Ｋには、被掲示物（この場合は物品露出系広告媒体１）を固定保持するための留具Ｋ１、Ｋ２（掲示領域Ｋ上部）、Ｋ３（掲示領域Ｋ下部）が固着されている。１は上端を留具Ｋ１、Ｋ２に、下端を留具Ｋ３に固定保持された実施例１の物品露出系広告媒体である。留具Ｋ１、Ｋ２、Ｋ３の構成は本考案の要部ではないので詳細の説明は省くが、図２ａ〜図２ｃに見るように金属板あるいはプラスチック板を縦断面形状が鉤型になるように曲折したもので、留具Ｋ１、Ｋ２は開口部が下向きになるように掲示領域Ｋの上端部左右に固着されており、留具Ｋ３は開口部が上向きになるように掲示領域Ｋの下端部に固着されている。実施例１の物品露出系広告媒体１は留具Ｋ１、Ｋ２と留具Ｋ３の間隔に略相当する高さを有し、物品露出系広告媒体１の横幅は任意であるが、上部左方が留具Ｋ１に、上部右方が留具Ｋ２に夫々固定保持される程度の横幅が望ましい。なお、図１ａにおいて、Ｂは通常の平面状の印刷が施された広告媒体である。
【００１５】
実施例１の物品露出系広告媒体１の本体１０は、図２ａに見るように、略長方形状の基板１１に薄膜１２を接着してなり、薄膜１２の表面には絵柄Ｐや文字Ｌが印刷されている。基板１１の上端部１１ａは図２ｂに見るように前方にやや屈曲されていて、留具Ｋ１、Ｋ２の空間ｃ１内に固定保持されている。また、基板１１の下端部１１ｂは屈曲されておらず、図２ｃに見るように、留具Ｋ１、Ｋ２の空間ｃ２内に固定保持されている。なお、上端部１１ａ、下端部１１ｂには薄膜１２は接着されていない。本体１０の中央から右方にかけては、図２ａに見るように物品Ｓ１、Ｓ１、…が係着されている。実施例１の物品露出系広告媒体１にては、物品Ｓ１、Ｓ１、…は缶ビールのダミー缶（実際の商品と同形同寸で同一印刷が施されているが実際の商品ではなく、中身の入っていないアルミ缶部分のみの物品）である。
【００１６】
物品Ｓ１、Ｓ１、…を本体１０に係着するための構成は、以下に述べるとおりである。すなわち、図３ａにおいて、２，２、…は本体１０の薄膜１２に接着された本体１０側の係着体であり、本体１０の中央部分から右方に、一定間隔で合計４個接着されている。Ｒ、Ｒ、…は本体１０側の係着体２，２、…を正確に接着するために薄膜１２に印刷された位置決め用のレジスターマーク（トンボとも呼称）である。該レジスターマークＲ、Ｒ、…は絵柄Ｐや文字Ｌと同時に薄膜１２に印刷されているものである。また、図３ｂにおいて、３は物品Ｓ１側の係着体であり、物品Ｓ１（ダミー缶）の背面の中央から下方にかけて接着されている。さらに、図３ｃにおいて、４は、本体１０側の係着体２と物品Ｓ１側の係着体３が係着状態にあるときに係着体２と係着体３の全体を挟着固定する挾着体である。
【００１７】
図４ａ〜図４ｄ、図８ａに本体１０側の係着体２の構成を詳細に示す。本体１０側の係着体２の本体２１は、略長方形状の後板２１ａと、該後板２１ａの左端から後板２１ａと一体に前方に直角に突設された略長方形状の左側板２１ｂ、及び後板２１ａの右端から後板２１ａと一体に前方に直角に突設された略長方形状の右側板２１ｃから構成され、左側板２１ｂ及び右側板２１ｃのそれぞれの外側面に、長手方向に延伸された凹部２１ｄを有している。本体２１の下端部には、本体２１の高さの５分の１程度の高さを有する留具２２が接着されている。留具２２は略長方形状の前板２２ａと、該前板２２ａの左端から前板２２ａと一体に後方に直角に突設された略長方形状の左側板２２ｂ、及び前板２２ａの右端から前板２２ａと一体に後方に直角に突設された略長方形状の右側板２２ｃから構成され、左側板２２ｂ及び右側板２２ｃのそれぞれの内側面に、長手方向に延伸された凸部２２ｄを有している。本体２１の下端部において本体２１の凹部２１ｄと留具２２の凸部２２ｄは嵌合状態にあり、本体２１の左側板２１ｂの外側面と留具２２の左側板２２ｂの内側面が接着され、本体２１の右側板２１ｃの外側面と留具２２の右側板２２ｃの内側面が接着され、留具２２は本体２１の下端部に一体として接着された状態にある。本体１０側の係着体２１は、実施例１にてはプラスチック製であるが、アルミ等の軽金属製あるいは木製とすることも可能である。
【００１８】
図５ａ〜図５ｃに物品Ｓ１側の係着体３の構成を詳細に示す。物品Ｓ１側の係着体３は略長方形状の前板３ａと、該前板３ａの左端から前板３ａと一体に後方に直角に突設された略長方形状の左側板３ｂ、及び前板３ａの右端から前板３ａと一体に後方に直角に突設された略長方形状の右側板３ｃから構成され、左側板３ｂ及び右側板３ｃのそれぞれの内側面に、長手方向に延伸された凸部３ｄを有している。物品Ｓ１側の係着体３は、実施例１にてはプラスチック製であるが、アルミ等の軽金属製あるいは木製とすることも可能である。なお、本体１０側の係着体２の留具２２は、この物品側の係着体３の一部を水平に切断した形状のものとなっている。
【００１９】
また、図６ａ、図６ｂには挾着体４の構成を詳細に示す。挾着体４は略長方形状の右側板４ａと、該右側板４ａの上端から右側板４ａと一体に左方に直角に突設された略長方形状の上板４ｂ、及び右側板４ａの下端から右側板４ａと一体に左方に直角に突設された略長方形状の下板４ｃから構成され、上板４ｂの中央〜左端にかけての下面には縦断面が直角２等辺３角形の三角柱状の爪部４ｄが上記直角２等辺３角形の斜辺を左下方に向けた状態で上板４ｂと一体に接着され、下板４ｃの中央〜左端にかけての上面には縦断面が直角２等辺３角形の三角柱状の爪部４ｅが上記直角２等辺３角形の斜辺を左上方に向けた状態で下板４ｃと一体に接着されている。挾着体４は、実施例１にてはプラスチック製であるが、アルミ等の軽金属製あるいは木製とすることも可能である。
【００２０】
本体１０側の係着体２と物品Ｓ１側の係着体３と挾着体４の寸法関係は以下に述べるとおりである。すなわち、図６ａ、図６ｂ、図７ａ、図７ｂに示すように、本体１０側の係着体２の高さｄは挾着体４の右側板４ａの内法の高さｅに等しい。物品Ｓ１側の係着体３の高さｆは本体１０側の係着体２の高さｄから本体１０側の係着体２の留具２２ａの高さｇを引いた値に等しい。本体１０側の係着体２の最大奥行きｉと物品Ｓ１側の係着体３の奥行きｊは等しく、挾着体４の奥行きｋは本体１０の薄膜１２の表面と物品Ｓ１の表面の間隔ｏに等しい。本体１０側の係着体２の最大幅と物品Ｓ１側の係着体３の幅は等しいのでこれをｌとすると、挾着体４の爪部４ｄ、４ｅから左端の先端部分α（図６ａ参照）までの幅ｎは幅ｌの略５分の２程度であり、挾着体４の上板４ｂ及び下板４ｃの内法の幅ｍは幅ｌと幅ｎの和である。すなわち、挾着体４は、右側板４ａの内側面と上板４ｂの中央から右端部分の下面と下板４ｃの中央から右端部分の上面によって形成された挟着領域ｚ３（図８ｃ参照）が、係着体２と係着体３が完全に係着された状態（図７ａ〜７ｄ参照）で、係着体２と係着体３の全体に比して奥行きがやや大となる他は略同一寸法形状となるように構成されている。
【００２１】
＜実施例１の作用＞
実施例１の作用を、以下に図面を参照しながら詳細に説明する。図８ａに見るように、本体１０側の係着体２の背面を、両面接着シートｔを介して本体１０の薄膜１２の接着領域ｚ１に接着させる。この際、本体１０の薄膜１２には接着領域ｚ１が図示されているわけではないが、レジスターマークＲが印刷されているので、該レジスターマークＲを目印として接着する。このようにして４個の本体１０側の係着体２を本体１０に接着させた状態を図３ａに示す。次に、図８ｂに見るように、物品Ｓ１側の係着体３の背面を、両面接着シートｔを介して物品Ｓ１の背面の接着領域ｚ２に接着させる。物品Ｓ１にはレジスターマークは付されていないので、物品Ｓ１の図柄を目印として、物品Ｓ１が複数ある場合に、略同じ位置に接着する。このようにして物品Ｓ１側の係着体３を物品Ｓ１の背面に接着した状態を図３ｂに示す。
【００２２】
次に、図３ａ、図３ｂに見るように、物品Ｓ１に接着された状態の係着体３を、本体１０に接着された状態の係着体２に係着させる。この際、係着体２の本体２１の下端部には留具２２が接着されているので、係着体３は上方から係着体２に係着させる。すなわち、係着体３の凸部３ｄ、３ｄ（図８ｂ参照）を係着体２の本体２１の凹部２１ｄ、２１ｄ（図８ａ参照）に嵌合させ、係着体３の左側面３ｂの内側面を係着体２の本体２１の左側面２１ｂの外側面に、係着体３の右側面３ｃの内側面を係着体２の本体２１の右側面２１ｃの外側面に、夫々上方から下方へ摺動させることにより係着体３は係着体２に嵌合係着させられる。係着体３の下方への摺動は、係着体３の下面が係着体２の留具２２の上面に当接した段階で停止され、係着体２と係着体３の係着が完了される。
【００２３】
上記の係着状態にて係着体２と係着体３の係着状態は緊密で、しかも図１ａに示すように実施例１の物品露出系広告媒体１は車両Ｔ内の高い位置に掲示されるため、物品Ｓ１は余程背の高い悪意の乗客（図示せず）によっても上記係着状態を解除されて盗難等に会う畏れはない。というのは、上記係着状態を解除するためには、図３ａ、図３ｂから当然明らかなように、物品３を把持してこれを上方に引き上げることにより係着体３を係着体２に対して上方に摺動させて係着体３を係着体２から離脱させる必要があるからである。係着体３を係着体２に対して下方に摺動させて離脱させる構成であれば背の高い悪意の乗客（図示せず）には可能であるかもしれないが、係着体３を係着体２に対して上方に摺動させて離脱させるためには、余程背の高い悪意の乗客（図示せず）でも梯子等（図示せず）の道具を必要とする。また、同様の理由から、車両Ｔに余程の揺れを生じた場合でも、係着体３が係着体２から自然に離脱してしまうということは考えにくい。
【００２４】
しかしながら、係着体２と係着体３の係着状態をより確実なものとするために、実施例１にては図３ｃ、図８ｃに示す挾着体４を用いる。（叙上より、挾着体４は必ず用いなければならないというものではない。）挾着体４は、構成の項でも述べたように、挾着体４の右側板４ａの内側面と上板４ｂの中央から右端部分の下面、下板４ｃの中央から右端部分の上面によって形成された挟着領域ｚ３（図８ｃ参照）が、係着体２と係着体３が完全に係着された状態（図７ａ〜７ｄ参照）で、係着体２と係着体３の全体と略同一寸法形状となるように構成されているので、挟着領域ｚ３に収納された係着体２と係着体３の全体を挾着体４の右側板４ａの内側面と上板４ｂの下面の中央から右端部分と下板４ｃの上面の中央から右端部分によって挟着固定することにより係着体２と係着体３の係着状態をより確実なものとして固定する作用を有する。この際、図６ｂ、図７ｂに示すように、挾着体４の奥行きｋは本体１０の薄膜１２の表面と物品Ｓ１の表面との間隔ｏと同一であるので、挾着体４の背面は本体１０の薄膜１２の表面に当接押圧され、挾着体４の正面は物品Ｓ１の表面に当接押圧されて、挾着体４自体が本体１０と物品Ｓ１の間に挟着される状態となり、挾着体４の挾着固定作用はさらに確実なものとなる。
【００２５】
挟着体４で係着体２と係着体３の全体を挟着固定する際には、図３ｃ、図８ｃに示すように、挟着体４を係着体２と係着体３の全体の右方から係着体２と係着体３の全体に接近させる。爪部４ｄの左端が係着体２と係着体３の全体に当接し、爪部４ｅの左端が係着体２と係着体３の全体に当接したところで、挟着体４を左方に強く押圧すると、爪部４ｄは左下方が傾斜面となり、爪部４ｅは左上方が傾斜面となっているので、爪部４ｄ、４ｅは係着体２と係着体３の全体から反作用を受け、爪部４ｄは上方に、爪部４ｅは下方に押圧される。この際、上板４ｂ、下板４ｃはプラスチック製で可撓性を有しているので、爪部４ｄ、４ｅの押圧力により上板４ｂは上方に、下板４ｅは下方に撓められ、さらに挟着体４を左方に強く押圧することにより係着体２と係着体３の全体は挟着領域ｚ３に収納される。係着体２と係着体３の全体が挟着領域ｚ３に収納されると同時に爪部４ｄを上方に、爪部４ｅを下方に押圧していた押圧力が消失するので、上板４ｂは下方に、下板４ｃは上方に動いて、図７ｃ、図７ｄに示す状態となり、挟着体４による挟着固定は完了する。これにて、背の高い悪意の乗客（図示せず）による物品Ｓ１の盗難や車両Ｔ（図１ｂ参照）の突然の揺れ等による物品Ｓ１の脱落等を略完全に防止することができるものである。また、挾着体４の背面は本体１０の薄膜１２の表面に当接押圧され、挾着体４の正面は物品Ｓ１の表面に当接押圧されて挾着体４自体が本体１０と物品Ｓ１の間に挟着される状態となり、物品Ｓ１と係着体２、３、挾着体４、本体１０の相互関係は極めて安定状態となるので、車両Ｔ（図１ｂ参照）が揺れても物品Ｓ１は本体１０に関して微動だにせず、揺れの振動等による雑音も全く発生しない。
【００２６】
広告掲示期間が満了して、広告媒体の交換を行う際には、まず物品Ｓ１を本体１０から脱離させる。この場合、まず、係着体２と係着体３の全体から挾着体４を脱離させるが、その方法は、図７ａ〜図７ｄの状態にて、挾着体４の上板４ｂの左端を撓ませながら上方に引き上げると同時に下板４ｃの左端を撓ませながら下方に引き下げ、爪部４ｄを上方に、爪部４ｅを下方に夫々移動させ、その状態を保ったまま挾着体４を右方向に脱抜して挾着体４を係着体２と係着体３の全体から脱離させる。次に、係着体２を上方に摺動させて係着体２を係着体３より脱離させる。係着体２を係着体３より脱離させるこの作業は、実際には物品Ｓ１を手で把持し、係着体２を物品Ｓ１ごと上方に摺動させることにより行われる。このようにして、全ての物品Ｓ１、Ｓ１、…を脱離させ終えたら、本体１０（図１ａ参照）を掲示領域から脱離させれば良い。
【００２７】
図９ａ〜図９ｄは、上記の物品Ｓ１（ダミー缶）以外にも各種の物品Ｓ２〜Ｓ５が係着可能であることを示すものである。図９ａに示す物品Ｓ２は菓子の空箱であり、図９ｂに示す物品Ｓ３はアルミ製の飲料用ボトル（ダミーボトル）であり、図９ｃに示す物品Ｓ４は紙製の即席麺（熱湯に浸漬することにより摂取可能状態となる乾燥麺）の容器（中身のないもの）であり、図９ｄに示す物品Ｓ５はマスコットキャラクター（愛玩用の人形）である。このように、各種の物品Ｓ２〜Ｓ５の背面に物品Ｓ２〜Ｓ５用の係着体３、３、…を接着することにより、各種の物品Ｓ２〜Ｓ５を本体１０（図３ａ参照）に係着して掲示することができるので、非常に変化に富んだ強力な（訴求力の高い）広告宣伝効果を得ることができるものである。なお、この際に、通常の平面的な広告媒体Ｂ（図１ａ参照）や所謂中吊り広告（図示せず）と広告内容を揃えて用いることにより、さらに広告効果が高められるものであることはいうまでもないことである。
【図面の簡単な説明】
【００２８】
【図１】（ａ）  本考案の実施例１の物品露出系広告媒体を電車の車両内の掲示領域に掲示した状態を示す説明図である。（ｂ）  本考案の実施例１の物品露出系広告媒体を電車の車両内の掲示領域に掲示した状態を示す説明図である。
【図２】（ａ）  本考案の実施例１の物品露出系広告媒体を電車の車両内の掲示領域に掲示した状態を示す外観斜視図である。（ｂ）  本考案の実施例１の物品露出系広告媒体の本体の上端部の右側面図である。（ｃ）  本考案の実施例１の物品露出系広告媒体の本体の下端部の右側面図である。
【図３】（ａ）  本考案の実施例１の物品露出系広告媒体の本体に本体側の係着体を接着した状態を示す外観斜視図である。（ｂ）  本考案の実施例１の物品露出系広告媒体の物品側の係着体を物品に接着した状態を示す外観斜視図である。（ｃ）  本考案の実施例１の物品露出系広告媒体の挾着体の外観斜視図である。
【図４】（ａ）  本考案の実施例１の物品露出系広告媒体の本体側の係着体の正面図である。  （ｂ）  本考案の実施例１の物品露出系広告媒体の本体側の係着体の右側面図である。  （ｃ）  図４ａのＢ−Ｂ断面図である。  （ｄ）  図４ａのＡ−Ａ断面図である。
【図５】（ａ）  本考案の実施例１の物品露出系広告媒体の物品側の係着体の背面図である。  （ｂ）  本考案の実施例１の物品露出系広告媒体の物品側の係着体の右側面図である。  （ｃ）  図５ａのＣ−Ｃ断面図である。
【図６】（ａ）  本考案の実施例１の物品露出系広告媒体の挾着体の正面図である。  （ｂ）  本考案の実施例１の物品露出系広告媒体の挾着体の右側面図である。
【図７】（ａ）  本考案の実施例１の物品露出系広告媒体の本体側の係着体と物品側の係着体が係着された状態を挾着体が挟着している状態の正面図である。  （ｂ）  図７ａのＤ−Ｄ断面図である。  （ｃ）  本考案の実施例１の物品露出系広告媒体の本体側の係着体と物品側の係着体が係着された状態を挾着体が挟着している状態を正面右上から見た外観斜視図である。  （ｄ）  本考案の実施例１の物品露出系広告媒体の本体側の係着体と物品側の係着体が係着された状態を挾着体が挟着している状態を背面右上から見た外観斜視図である。
【図８】（ａ）  本考案の実施例１の物品露出系広告媒体の本体側の係着体を本体に接着する方法を示す説明図である。  （ｂ）  本考案の実施例１の物品露出系広告媒体の物品側の係着体を物品に接着する方法を示す説明図である。  （ｃ）  本考案の実施例１の物品露出系広告媒体の挾着体を本体側の係着体と物品側の係着体に挟着させる方法を示す説明図である。
【図９】（ａ）  本考案の実施例１の物品露出系広告媒体の物品側の係着体を物品に接着した状態を示す説明図である。  （ｂ）  本考案の実施例１の物品露出系広告媒体の物品側の係着体を物品に接着した状態を示す説明図である。  （ｃ）  本考案の実施例１の物品露出系広告媒体の物品側の係着体を物品に接着した状態を示す説明図である。  （ｄ）  本考案の実施例１の物品露出系広告媒体の物品側の係着体を物品に接着した状態を示す説明図である。
【符号の説明】
【００２９】
１      物品露出系広告媒体
１０    本体
１１    基板
１１ａ  上端部
１１ｂ  下端部
１２    薄膜
２      係着体
２１    本体
２１ａ  後板
２１ｂ  左側板
２１ｃ  右側板
２１ｄ  凹部
２２    留具
２２ａ  前板
２２ｂ  左側板
２２ｃ  右側板
２２ｄ  凸部
３      係着体
３ａ    前板
３ｂ    左側板
３ｃ    右側板
３ｄ    凸部
４      挾着体
４ａ    右側板
４ｂ    上板
４ｃ    下板
４ｄ    爪部
４ｅ    爪部
Ｂ      広告媒体
Ｋ      掲示領域
Ｋ１    留具
Ｋ２    留具
Ｋ３    留具
Ｌ      文字
Ｐ      絵柄
Ｒ      レジスターマーク
Ｓ１    物品
Ｓ２    物品
Ｓ３    物品
Ｓ４    物品
Ｓ５    物品
Ｔ      車両
ａ      網棚
ｃ      天井
ｃ１    空間
ｃ２    空間
ｄ      高さ
ｅ      高さ
ｆ      高さ
ｇ      高さ
ｈ      側壁
ｉ      奥行き
ｊ      奥行き
ｋ      奥行き
ｌ      幅
ｍ      幅
ｎ      幅
ｏ      間隔
ｔ      両面接着シート
ｗ      湾曲部分
ｚ１    接着領域
ｚ２    接着領域
ｚ３    挟着領域
α      先端部分
【図１】
0003103738.tif 000003
【図２】
0003103738.tif 000004
【図３】
0003103738.tif 000005
【図４】
0003103738.tif 000006
【図５】
0003103738.tif 000007
【図６】
0003103738.tif 000008
【図７】
0003103738.tif 000009
【図８】
0003103738.tif 000010
【図９】
0003103738.tif 000011